(57)【要約】【課題】古い木造２階建住宅は、過去大震災の時に、１階の壁の少ない部分に応力が集中し、２階の床から‘く’の字に倒壊する例が多く見られた。【解決手段】１，地震の水平力による２階出隅部分の動きを制止することを目的とする。２，建物の２階床面の出隅部分（図の点Ｐ）を中心にＸ型に通した１本のステンレスワイヤーでコンクリートの布基礎から引張り固定する。３，建物の四隅部分を同様な方法で補強する。４，これによって来る大地震時による倒壊を防止することを目的とする。【選択図】図１
2010281166.tif 000002
【特許請求の範囲】
【請求項１】
２階床の出隅の変形を防ぐ目的で、２階梁の出隅に取り付けた金具を支点として、コンクリート布基礎に取付た丸環ボルトから、ステンレスワイヤーで引張る木造住宅の耐震補強工法。
【請求項２】
上記金具は、Ｒ加工のプレートと埋込円筒型突起と平ボルト及び本体取付ボルトとナットからなること特徴とする。この金具を用いた請求項１記載の耐震補強工法。
【発明の詳細な説明】
【技術分野】
【０００１】
本発明は、近い将来の大地震に備え、既存木造住宅の倒壊防止を目的に行なう耐震補強工法である。
【背景技術】
【０００２】
近い将来予想される大地震により倒壊の恐れのある古い建築基準で建てられた既存木造家屋が日本全体に多く存在する。その耐震補強をすることが急務であるが、その工事に当たって外壁の撤去が必要とされたり、建物の部分的補強法であったり、工事費が高額である等の理由で中々進んでいないのが現状である。
【０００３】
いままでの耐震工事というと、例えば柱と基礎の緊結法とか、筋交いの補強法、外壁の支え柱よるもの等と建物の部分的な補強工法でしかなかった。補強の効果が実感できないものが大半であった。
【発明の開示】
【発明が解決しようとする課題】
【０００４】
1；既存の住宅に住まいながら工事が出来ること。（外部からの補強工事）
2；既存の撤去・補修部分を極力少なくすること。
3；費用対効果が大きいと思えるもの。
4；安価な工事費で出来るもの。
【課題を解決するための手段】
【０００５】
本発明は、請求項1は、２階床の出隅の変形を防ぐ目的で、２階梁の出隅に取り付けた金具を支点として、コンクリート布基礎に取付た丸環ボルトから、ステンレスワイヤーで引張る木造住宅の耐震補強工法である。
請求項2は、上記金具は、Ｒ加工のプレートと埋込円筒型突起と平ボルト及び本体支持用ボルトとナットからなることを特徴とする。この金具を用いた請求項１記載の耐震補強工法である。
【０００６】
この工法は、吊り橋などに使われているステンレスワイヤー径6ｍｍで2.5トンの引っ張り耐力のある汎用な素材に着眼し、建物の2階床出隅ポイントを支点としてコンクリート布基礎に新設した丸環ボルトの4点より支持し、そのワイヤーの引張反力により、補強するものです。
【発明の効果】
【０００７】
地震時に２階床が水平方向へ動こうとする力をＸ型のワイヤーがその動きを制止し、建物の倒壊を防止する。これは建物の四隅に筋交いを新設したのと同じ効果を期待できる。
直下型地震の場合には、隅柱が土台から引き抜かれる事を防止する効果もある。（ホールダウン金物と同じ）
【発明を実施するための最良の形態】
【０００８】
以下、本発明を実施の形態を図面に基づき詳細に説明する。
【０００９】
図１〜図２は本発明を実施した全体の形態を示し、図３〜図６に支持金物の詳細を示す。
【００１０】
本体の取り付けの順序として
1）；最初に補強する建物の出隅の２階梁部分（図1に示すＰの位置）に図3〜図6に示す支点用金物をに取り付ける。
2）；支点用金物からワイヤーで引張る角度を決めコンクリート布基礎に丸環ボルト（アイボルト）をアンカー施工する。（4箇所−ＳＵＳ製  Ｍ12  ケミカルアンカー）
3）；外壁に沿ってステンレスワイヤーを支点金物を中心に横8の字方で、図2に示す様にそれぞれ金具穴に通していく。（ワイヤー径6ｍｍ）
4）；ワイヤーの両端を重ねワイヤーグリップ（市販品の留め金具）で弛まない様に締め付けながら固定する。（3点止め）
5）；最後に出隅支持金物の上部の平ボルトでワイヤー交差部を固定し、ずれを防止とする。
6）；必要に応じて、ステンレス製の化粧カバーを取付ける。
【００１１】
1）の出隅金物の詳細について
出隅金物Ｐは、地震の水平力がワイヤーの反力となって、建物に直接力を伝える重要な部分です。
出隅金物Ｐの本体は上記ワイヤー反力をスムーズに木造の柱、梁の交点に伝える為にＰＬ-9ｍｍを曲げ加工（外径90Ｒ）した亜鉛メッキ鋼材とし、隅柱とは、Ｍ12ボルト2本で固定します。（ボルト2本止めで鉛直引き抜き耐力2ton程度）
ワイヤーの引っ掛かかりのために、出隅金物の中央上部に円筒形の突起（25φＨ＝25の無垢材）を埋め込み溶接します。そのすぐ上に、ワイヤー固定用の平ボルト（皿径25ｍｍ程度）を取り付けます。
【００１２】
2）の基礎部分について
コンクリート布基礎に取付ける丸環ボルトはステンレス製Ｍ12ボルトを使用する。（アンカーの高さは、基礎天端より150ｍｍ程度離す）隣り合ったボルトの間隔は150ｍｍ以上離すものとする。アンカーはケミカルアンカーを使用する。
【００１３】
3）のステンレスワイヤーについて
ステンレスワイヤーは、市販のもので破断荷重として、6ｍｍで2.5ｔ程度です。
取り付け位置として、外壁面から10ｍｍ以内を這わせます。（雨戸戸袋などがある場合は、10ｍｍ程度の穴を明け貫通して、ワイヤーが一直線になるように通しで施工します。
ワイヤーの角度としては、60度以上を理想としますが、建物の状況により可能な位置に取り付けます。ワイヤーの端部の重ねは、50ｃｍ程度確保し、市販の留め金具（ワイヤーグリップ---Ｕ型の金具+閂を2個のナットで締め付けるもの）を3箇所以上で固定します。
【実施例】
【００１４】
出隅金物Ｐの外形寸法として、おおよそＷ＝150ｍｍＨ＝180ｍｍＤ＝85+15ｍｍとし、隅柱とは、ボルト留めとし、基礎部の丸環ボルトも2本づつとしていますが、これは、２階建ての出隅も想定したものです。本発明の範囲は、これに限定されるものではありません。
【００１５】
例えば、平屋部分の出隅補強の場合も同じ工法で補強が可能です。
その場合、一例として、出隅金物取付を隅柱とビス留めとするなど（ワイヤーの支点部分の形状もＵ字の金具の取付でワイヤーを通す穴のみの加工とする）、基礎の丸環ボルトも1個にしワイヤーも5ｍｍ（耐力1.8ｔ）を使うなど、必要な強度に合わせた仕様の変更は行なうものとします。
【００１６】
また、古い日本家屋で、敷桁が軒先まで延長している場合には、支点金物の代わりに、敷桁梁貫通パイプ（20φ、アルミ）を取付け、その穴にワイヤーを通し、又基礎コンクリートが無い場合、土台からワイヤーでＵ字型に引張ることも可能です。
【図面の簡単な説明】
【００１７】
【図１】補強方法の基本形態を示す模式図である。
【図２】図１のＸ方向からみた拡大図である。
【図３】出隅支持金物の斜視図である。
【図４】出隅支持金物の平面図である。
【図５】出隅支持金物の側面図である。
【図６】出隅支持金物の正面図である。
【符号の説明】
【００１８】
１，２階床梁  （既設）
２，コンクリート布基礎  （既設）
３，隅柱  （既設）    
４，ステンレスワイヤー（径６ｍｍ）
５，丸環ボルト（アイボルト）Ｍ12（ケミカルアンカー施工）    
６，ワイヤーグリップ（留め金具）3点止め
７，出隅部の支持金物
Ｐ
８，Ｍ12ボルト
９，ナット
１０，円筒型埋込突起
１1，平ボルト
【図１】
2010281166.tif 000003
【図２】
2010281166.tif 000004
【図３】
2010281166.tif 000005
【図４】
2010281166.tif 000006
【図５】
2010281166.tif 000007
【図６】
2010281166.tif 000008